(57)【特許請求の範囲】
【請求項１】
分離部が第１の切り離し線によって分離可能に区画形成され、前記分離部の分離開始端に隣接する領域に前記第１の切り離し線に繋がった孔部を有する第１のシートと、
前記第１のシートに重ね合わされ、該重ね合わせ状態において前記孔部にその一部が対向するように形成された第２の切り離し線を具備する第２のシートとを有し、
前記第２の切り離し線は、前記孔部に対向する部分を含む第１の領域と、それ以外の第２の領域とに分割され、前記第１の領域と前記第２の領域とのいずれか一方の前記分割された端部に、前記第１の領域と前記第２の領域とのうち他方の前記分割された端部からの延長線と交差する切り込み部を有する、重ね合わせシート。
【請求項２】
請求項１に記載の重ね合わせシートの製造方法であって、
前記第１のシートに前記孔部を形成する工程と、
前記第２のシートに前記第１の領域を形成する工程と、
前記孔部が形成された前記第１のシートと、前記第１の領域が形成された前記第２のシートとを重ね合わせる工程と、
前記第１のシートに前記第１の切り離し線を形成する工程と、
前記第２のシートに前記第２の領域を形成する工程とを有する、重ね合わせシートの製造方法。
【発明の詳細な説明】
【技術分野】
【０００１】
本発明は、２枚のシートが重ね合わされた重ね合わせシートに関し、特に、一方のシートに分離部が分離可能に区画形成され、他方のシートに切り離し線が形成されてなる重ね合わせシートに関する。
【背景技術】
【０００２】
従来より、配送物を配送する場合、配送物の配送元及び配送先の住所や氏名あるいは名称等の配送情報が印字された配送伝票が用いられ、配送情報が印字された配送伝票が配送物に貼付され、配送伝票に印字された配送情報に従って配送物が配送先に配送されている。
【０００３】
このような配送伝票としては、配送物に貼付される伝票片に、配送物が配送先に配送された後に配送業者が持ち帰る配達票が分離可能に区画形成されているものが用いられている。この配送伝票を用いた場合、配送物が配送先に配送されると、配達票に受領印が押下され、配達票が伝票片から分離されて配送業者によって持ち帰られることにより、配送物が配送先に配送されたことが管理されることになる。
【０００４】
上述したように配達票を伝票片から分離して持ち帰るためには、伝票片のうち配達票となる部分が配送物に貼付されていない状態としておく必要がある。そこで、伝票片のうち配達票となる部分のみ接着層を設けず、それにより、伝票片が配送物に貼付された後においても配達票のみを配送物から離脱可能としている。
【０００５】
また、このような伝票片から配達票が分離可能な構成において、伝票片のうち配達票となる部分のみ接着層を設けない構成とするとともに、伝票片が配送物に貼付される前の状態にて伝票片に剥離可能に貼着されている剥離台紙のうち、配達票に対向する領域を分離領域としてスリットによって分離可能に区画形成し、この分離領域の表裏に情報を表示した配送伝票が、例えば、特許文献１に開示されている。
【０００６】
特許文献１に開示された配送伝票においては、分離票となる配達票が分離可能に区画形成されるとともに一方の面の配達票を除いた領域に接着層が設けられた伝票片に、接着層によって剥離台紙が剥離可能に貼着された構成において、剥離台紙の配達票に対向する領域に、一方向の両端部のみが接着層に対向した分離領域がスリットによって分離可能に区画形成されている。そのため、分離領域のうち接着層に対向しない領域に情報を表示しておき、伝票片を剥離台紙から剥離して配送物に貼付する際に、分離領域を剥離台紙から分離して伝票片に貼着されたままの状態とすることで、その後、伝票片から配達票を分離した際、分離領域に表示された情報を配送物の配送先に通知することができる。
【０００７】
ここで、上述した配達票のように伝票片から分離可能な分離部を有するものにおいては、分離部の角部に、いわゆるコーナーカット部として例えば三角形の孔部を形成しておき、その孔部を摘み代として分離部を容易に分離可能としているものが多く、特許文献１に開示されたものにおいても、そのような構成が採用されている。
【特許文献１】特許第５０５３１４２号公報
【発明の概要】
【発明が解決しようとする課題】
【０００８】
上述したように、特許文献１に開示された配送伝票においては、分離部となる配達票が分離可能に区画形成されるとともに一方の面の配達票を除いた領域に接着層が設けられた伝票片に、接着層によって剥離台紙が剥離可能に貼着された構成において、剥離台紙の配達票に対向する領域に、一方向の両端部のみが接着層に対向した分離領域がスリットによって分離可能に区画形成されている。そのため、前記一方向に直交する方向の分離領域の長さが分離部よりも短い場合、上記のように分離部の角部に孔部を形成すると、剥離台紙から分離領域を分離するためのスリットの一部がこの孔部に対向する場合がある。
【０００９】
ここで、上述したように、２枚のシートが重ね合わされて構成される重ね合わせシートにおいては、重ね合わされた後にその表裏から刃型が当てられることで、上述したような配達票等の分離部や剥離台紙の分離領域を分離するためのスリット等の切り離し線が形成されることになる。そのため、２枚のシートが重ね合わされる前に分離部の角部に孔部が形成される等というように、２枚のシートに切り離し線がそれぞれ形成される際に、分離部の角部に孔部が既に形成されている場合、孔部に対向する領域においては、スリット等の切り離し線を形成するために孔部とは反対側から刃型を当てると、孔部が形成されていないシートの孔部に対向する領域が孔部に入り込むように湾曲し、それにより、切り離し線を形成するために刃型によってシートに加わる圧力が弱まり、切り離し線を確実に形成することができなくなってしまうという問題点がある。
【００１０】
本発明は、上述したような従来の技術が有する問題点に鑑みてなされたものであって、分離部が第１の切り離し線によって分離可能に区画形成された第１のシートと、第２の切り離し線が形成された第２のシートとが重ね合わされた重ね合わせシートにおいて、第２の切り離し線の一部が、分離部が第１のシートから分離される際の分離開始端の近傍の領域に対向するように形成されている場合であっても、分離部を第１のシートから分離しやすくしながらも、第２の切り離し線を確実に形成することができる重ね合わせシートを提供することを目的とする。
【課題を解決するための手段】
【００１１】
上記目的を達成するために本発明は、
分離部が第１の切り離し線によって分離可能に区画形成され、前記分離部の分離開始端に隣接する領域に前記第１の切り離し線に繋がった孔部を有する第１のシートと、
前記第１のシートに重ね合わされ、該重ね合わせ状態において前記孔部にその一部が対向するように形成された第２の切り離し線を具備する第２のシートとを有し、
前記第２の切り離し線は、前記孔部に対向する部分を含む第１の領域と、それ以外の第２の領域とに分割され、前記第１の領域と前記第２の領域とのいずれか一方の前記分割された端部に、前記第１の領域と前記第２の領域とのうち他方の前記分割された端部からの延長線と交差する切り込み部を有する。
【００１２】
上記のように構成された本発明においては、分離部を第１のシートから分離しやすくするための孔部が第１のシートに形成された状態にて第１のシートと第２のシートとが重ね合わされた後に、第１のシートと第２のシートとに第１の切り離し線と第２の切り離し線とをそれぞれ形成する際、第２の切り離し線のうち、孔部に対向する部分を含む第１の領域が既に形成されているため、刃型が当てられることで第２のシートの孔部に対向する領域が湾曲して第２の切り離し線が孔部に対向する領域に形成されなくなってしまうことがない。また、第２の切り離し線のうち第１の領域以外の第２の領域が、第１のシートと第２のシートとが重ね合わされた後に第２のシートに形成されることになるため、第１の領域と第２の領域とに位置ずれが生じる場合があるが、第１の領域と第２の領域とのいずれか一方の端部に、第１の領域と第２の領域とのうち他方の端部からの延長線と交差する切り込み部が設けられているため、第１の領域と第２の領域とに位置ずれが生じた場合であっても、第２の切り離し線を用いて第２のシートを破断する際、破断部分が第２の切り離し線から逸れていくことが回避される。
【発明の効果】
【００１３】
本発明によれば、第２のシートに形成された第２の切り離し線が、第１のシートに分離部を分離しやすくするために形成された孔部に対向する部分を含む第１の領域と、それ以外の第２の領域とに分割されているため、第１のシートと第２のシートとを重ね合わせる前に第１の領域を形成しておけば、第２の切り離し線の一部が、第１のシートに分離部を分離しやすくするために形成された孔部に対向するように形成されている場合であっても、分離部を第１のシートから分離しやすくしながらも、第２の切り離し線を確実に形成することができる。また、第１の領域と第２の領域とのいずれか一方の端部に、第１の領域と第２の領域とのうち他方の端部からの延長線と交差する切り込み部が設けられていることにより、第１の領域と第２の領域とに位置ずれが生じた場合であっても、第２の切り離し線を用いて第２のシートを破断する際、破断部分が第２の切り離し線から逸れていくことを回避できる。
【図面の簡単な説明】
【００１４】
【図１】本発明の重ね合わせシートの実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。
【図２】図１に示した伝票片及び剥離台紙の構成を示す図であり、（ａ）は伝票片の剥離台紙との貼着面の構成を示す図、（ｂ）は剥離台紙の伝票片との貼着面の構成を示す図、（ｃ）は伝票片に形成されたコーナーカット部と剥離台紙に形成されたスリットとの関係を示す図である。
【図３】図１及び図２に示した配送伝票の製造方法を説明するためのフローチャートである。
【図４】図１及び図２に示した配送伝票が配送物に貼付されるまでの使用方法を説明するための図であり、（ａ）は剥離台紙の納品書以外の部分が伝票片から剥離した状態における伝票片の裏面の構成を示す図、（ｂ）は伝票片が配送物に貼付された状態を示す図である。
【図５】図１及び図２に示した配送伝票における第１の領域と第２の領域とによる作用を説明するための図である。
【図６】図１及び図２に示した配送伝票が配送物に貼付された後の使用方法を説明するための図であり、（ａ）は配送物に貼付された伝票片から配達票が分離されていく状態を示す図、（ｂ）は配送物に貼付された伝票片から領収証、配達票及び貼付票が分離された後の状態を示す図である。
【図７】本発明の重ね合わせシートの他の実施の形態を示す図であり、（ａ）は伝票片の剥離台紙との貼着面の構成を示す図、（ｂ）は剥離台紙の伝票片との貼着面の構成を示す図、（ｃ）は伝票片に形成されたコーナーカット部と剥離台紙に形成されたスリットとの関係を示す図である。
【図８】本発明の重ね合わせシートの他の実施の形態を示す図であり、（ａ）は伝票片の剥離台紙との貼着面の構成を示す図、（ｂ）は剥離台紙の伝票片との貼着面の構成を示す図、（ｃ）は伝票片に形成されたコーナーカット部と剥離台紙に形成されたスリットとの関係を示す図である。
【図９】本発明の重ね合わせシートの他の実施の形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。
【図１０】図９に示した伝票片及び剥離台紙の構成を示す図であり、（ａ）は伝票片の剥離台紙との貼着面の構成を示す図、（ｂ）は剥離台紙の伝票片との貼着面の構成を示す図、（ｃ）は伝票片に形成されたコーナーカット部と剥離台紙に形成されたスリットとの関係を示す図である。
【発明を実施するための形態】
【００１５】
以下に、本発明の実施の形態について図面を参照して説明する。
【００１６】
図１は、本発明の重ね合わせシートの実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。図２は、図１に示した伝票片１０及び剥離台紙２０の構成を示す図であり、（ａ）は伝票片１０の剥離台紙２０との貼着面の構成を示す図、（ｂ）は剥離台紙２０の伝票片１０との貼着面の構成を示す図、（ｃ）は伝票片１０に形成されたコーナーカット部１５と剥離台紙２０に形成されたスリット２２との関係を示す図である。
【００１７】
本形態における重ね合わせシートは図１に示すように、長方形の伝票片１０と剥離台紙２０とが重ね合わされて貼着された配送伝票１である。なお、図１（ｄ）においては、配送伝票１の積層構造をわかりやすくするために便宜上厚みを帯びて図示しているが、配送伝票１は実際には、図１（ｂ），（ｃ）に示すように、横方向から見た場合に積層構造がわからないほどのものである。
【００１８】
伝票片１０は本願発明における第１のシートとなるものであって、図１及び図２（ａ）に示すように、長手方向の長さが剥離台紙２０よりも短くなっており、領収証１１と、本発明における分離部となる配達票１２と、貼付票１３とを有している。これら領収証１１、配達票１２及び貼付票１３にはそれぞれ、この伝票片１０が貼付される配送物の配送元及び配送先の住所や氏名あるいは名称等の配送情報が記入あるいは印字される配送情報表示領域１１ａ，１２ａ，１３ａが設けられており、配達票１２にはさらに、配送物が配送先に届けられた際に受領印を押下するための押印領域１２ｂが設けられている。領収証１１、配達票１２及び貼付票１３の境界及び周囲には第１の切り離し線となるジッパー１４ａが形成されており、このジッパー１４ａによって領収証１１、配達票１２及び貼付票１３がそれぞれ伝票片１０から分離可能に区画形成されている。ジッパー１４ａは、例えば、長辺と短辺とが直角または鈍角を有して“ヘ”の字状に連結した複数の切り込みが並んで構成されているものが考えられる。また、配達票１２の貼付票１３側の１つの角部には、伝票片１０が直角三角形の形状に切り抜かれてなる孔部となるコーナーカット部１５がジッパー部１４ａに繋がって設けられている。
【００１９】
伝票片１０の剥離台紙２０との貼着面には、領収証１１、配達票１２及び貼付票１３を除いた領域に、伝票片１０の外周に沿って接着剤が塗工されることで接着層３０が設けられている。
【００２０】
剥離台紙２０は、本願発明における第２のシートとなるものであって、図１及び図２（ｂ）に示すように、第２の切り離し線となるスリット２２が形成されることで納品書２１が分離可能に区画形成されており、伝票片１０との貼着面においては、伝票片１０に対向する領域のうち納品書２１以外の全面に剥離剤が塗工されることで剥離層４０が設けられている。納品書２１は、領収証１１、配達票１２及び貼付票１３に渡って対向するようにスリット２２によって形成されている。納品書２１は、剥離台紙２０の短手方向の長さが、領収証１１、配達票１２及び貼付票１３よりも若干短くなっており、それにより、配送伝票１の短手方向における、領収証１１、配達票１２及び貼付票１３の両側の部分においては、接着層３０の全ての領域が剥離層４０に対向している。また、納品書２１は、剥離台紙２０の長手方向の長さが、領収証１１と配達票１２と貼付票１３とを加えた長さよりも若干長くなっており、それにより、納品書２１の長手方向にて対向する２つの端辺に並行する端部領域がそれぞれ、接着層３０と対向している。また、納品書２１には、剥離台紙２０の長手方向のうち貼付票１３に対向する側の端部領域において、貼付票１３に対向する領域に納品書２１の端辺に並行してミシン目２３が形成されており、それにより、納品書２１は、ミシン目２３を破断することで、接着層３０と対向する端部領域が切り離し可能となっている。また、納品書２１には、剥離台紙２０の長手方向のうち領収証１１に対向する側の端部領域においても、接着層３０に対向しない領域に納品書２１の端辺に並行してミシン目２４が形成されており、それにより、納品書２１は、ミシン目２４を破断することで、接着層３０と対向する端部領域が切り離し可能となっている。また、スリット２２は、剥離台紙２０に伝票片１０が貼着された場合にコーナーカット部１５に対向する第１の領域２２ａと、それ以外の第２の領域２２ｂとに分割されている。第１の領域２２ａは、図２（ｃ）に示すように、コーナーカット部１５に対向する部分を含む長さとなっており、図２（ｂ），（ｃ）中上側の端部に切り込み部となる２つの斜め切り込み２５ａが設けられている。２つの斜め切り込み２５ａは、第１の領域２２ａの一方の端部から第１の領域２２ａが延びる方向に対してそれぞれ左右斜めに向かって開いており、それにより、第２の領域２２ｂの斜め切り込み２５ａに対向する端部からの延長線と交差するものとなっている。また、第２の領域２２ｂは、第１の領域２２ａの斜め切り込み２５ａが設けられていない側の端部に対向する端部に、斜め切り込み２５ａと同様の切り込み部となる２つの斜め切り込み２５ｂが設けられている。２つの斜め切り込み２５ｂは、第２の領域２２ｂの端部から第２の領域２２ｂが延びる方向に対してそれぞれ左右斜めに向かって開いており、それにより、第１の領域２２ａの斜め切り込み２５ａが設けられていない側の端部からの延長線と交差するものとなっている。
【００２１】
以下に、上記のように構成された配送伝票１の製造方法について説明する。
【００２２】
図３は、図１及び図２に示した配送伝票１の製造方法を説明するためのフローチャートである。
【００２３】
図１及び図２に示した配送伝票１を製造する場合は、まず、伝票片１０と剥離台紙２０とが貼着されていない状態において、伝票片１０にコーナーカット部１５を形成し（ステップ１）、また、剥離台紙２０に、スリット２２のうち第１の領域２２ａを形成する（ステップ２）。なお、ステップ１の工程とステップ２の工程の順序は問わない。伝票片１０と剥離台紙２０とが貼着されていない状態においては、伝票片１０及び剥離台紙２０という１枚のシートにそれぞれ刃型を当てることによりコーナーカット部１５及び第１の領域２２ａを形成することになるため、刃型が当てられることで伝票片１０や剥離台紙２０が湾曲してコーナーカット部１５及び第１の領域２２ａが形成されなくなってしまうことがない。
【００２４】
次に、第１の領域２２ａが形成された剥離台紙２０に、コーナーカット部１５が形成された伝票片１０を重ね合わせ、これらを貼着する（ステップ３）。
【００２５】
次に、伝票片１０にジッパー１４ａを形成し（ステップ４）、また、剥離台紙２０にスリット２２のうち第２の領域２２ｂと、ミシン目２３，２４を形成する（ステップ５）。なお、ステップ４の工程とステップ５の工程の順序は問わない。この際、コーナーカット部１５にスリット２２の第１の領域２２ａが対向しているが、第１の領域２２ａは剥離台紙２０に既に形成されているため、刃型が当てられることで剥離台紙２０が湾曲してスリット２２がコーナーカット部１５に対向する領域に形成されなくなってしまうことを回避できる。
【００２６】
以下に、上記のように構成された配送伝票１の使用方法について説明する。
【００２７】
まず、配送伝票１が配送物に貼付されるまでの使用方法について説明する。
【００２８】
図４は、図１及び図２に示した配送伝票１が配送物に貼付されるまでの使用方法を説明するための図であり、（ａ）は剥離台紙２０の納品書２１以外の部分が伝票片１０から剥離した状態における伝票片１０の裏面の構成を示す図、（ｂ）は伝票片１０が配送物に貼付された状態を示す図である。
【００２９】
図１及び図２に示した配送伝票１を使用する場合は、まず、伝票片１０を配送物に貼付するために伝票片１０から剥離台紙２０を剥離する。伝票片１０と剥離台紙２０とは、上述したように伝票片１０に設けられた接着層３０によって貼着されているものの、剥離台紙２０の納品書２１以外の全面に剥離層４０が設けられているため、容易に剥離していくことができる。剥離台紙２０をその端部から剥離していくと、納品書２１の周囲にはスリット２２が形成されているとともに、納品書２１が、剥離台紙２０の長手方向の両端部の領域にて接着層３０によって伝票片１０に貼着されているため、図４（ａ）に示すように、納品書２１が剥離台紙２０から分離して伝票片１０に貼着されたまま残り、納品書２１の周囲の領域が伝票片１０から剥離する。
【００３０】
この際、スリット２２が上述したように第１の領域２２ａと第２の領域２２ｂとに分割されており、剥離台紙２０に伝票片１０が貼着される前に第１の領域２２ａが形成され、剥離台紙２０に伝票片１０が貼着された後に第２の領域２２ｂが形成されるというように、第１の領域２２ａと第２の領域２２ｂとが別工程にて剥離台紙２０に形成されることになるため、第１の領域２２ａと第２の領域２２ｂとに位置ずれが生じる場合がある。そのため、第１の領域２２ａと第２の領域２２ｂとが繋がらなくなってしまう虞がある。
【００３１】
図５は、図１及び図２に示した配送伝票１における第１の領域２２ａと第２の領域２２ｂとによる作用を説明するための図である。
【００３２】
上述したように、第１の領域２２ａの図２（ｂ），（ｃ）中上側の端部に２つの斜め切り込み２５ａが設けられ、この２つの斜め切り込み２５ａが、第２の領域２２ｂの斜め切り込み２５ａに対向する端部からの延長線と交差するものとなっており、また、第２の領域２２ｂの、第１の領域２２ａの斜め切り込み２５ａが設けられていない側の端部に対向する端部に、２つの斜め切り込み２５ｂが設けられ、この２つの斜め切り込み２５ｂが、第１の領域２２ａの斜め切り込み２５ａが設けられていない側の端部からの延長線と交差するものとなっているため、剥離台紙２０の納品書２１を除く領域をスリット２２によって図２中上側から分離していくと、図５（ａ）に示すように、第２の領域２２ｂの端部からの破断部分２６ｂが第１の領域２２ａの斜め切り込み２５ａに繋がり、また、第１の領域２２ａの斜め切り込み２５ａが設けられていない側の端部からの破断部分２６ａが第２の領域２２ｂの斜め切り込み２５ｂに繋がることとなる。
【００３３】
また、図５（ｂ）に示すように、第１の領域２２ａに対して第２の領域２２ｂの形成位置が図５中左側にずれた場合、第２の領域２２ｂの端部からの破断部分２６ｂが第１の領域２２ａの図中左側の斜め切り込み２５ａに繋がり、また、第１の領域２２ａの斜め切り込み２５ａが設けられていない側の端部からの破断部分２６ａが第２の領域２２ｂの図中右側の斜め切り込み２５ｂに繋がることとなる。
【００３４】
また、図５（ｃ）に示すように、第１の領域２２ａに対して第２の領域２２ｂの形成位置が図５中右側にずれた場合、第２の領域２２ｂの端部からの破断部分２６ｂが第１の領域２２ａの図中右側の斜め切り込み２５ａに繋がり、また、第１の領域２２ａの斜め切り込み２５ａが設けられていない側の端部からの破断部分２６ａが第２の領域２２ｂの図中左側の斜め切り込み２５ｂに繋がることとなる。
【００３５】
これにより、第１の領域２２ａと第２の領域２２ｂとに位置ずれが生じたとしても、破断部分がスリット２２から逸れていくことが回避される。
【００３６】
剥離台紙２０の納品書２１を除く領域を伝票片１０から剥離すると、伝票片１０の剥離台紙２０との貼着面に設けられた接着層３０が表出し、図４（ｂ）に示すように、この接着層３０を用いて伝票片１０を配送物２に貼付する。
【００３７】
伝票片１０が貼付された配送物２は、配送情報表示領域１１ａ，１２ａ，１３ａに記入あるいは印字された配送情報１１ｄ，１２ｄ，１３ｄに従って配送先に配送されていく。
【００３８】
次に、配送物２が配送先に届けられた後、納品書２１が取り出されるまでの使用方法について説明する。
【００３９】
図６は、図１及び図２に示した配送伝票１が配送物に貼付された後の使用方法を説明するための図であり、（ａ）は配送物に貼付された伝票片１０から配達票１２が分離されていく状態を示す図、（ｂ）は配送物に貼付された伝票片１０から領収証１１、配達票１２及び貼付票１３が分離された後の状態を示す図である。
【００４０】
配送物２が配送先に届けられ、図６（ａ）に示すように、配達票１２の押印領域１２ｂに受領印１２ｅが押下された後、ジッパー１４ａを破断していくことにより配達票１２を伝票片１０から分離する。その際、上述したように、配達票１２の貼付票１３側の１つの角部にコーナーカット部１５が設けられているため、このコーナーカット部１５を摘み代とすることでコーナーカット部１５に隣接する部分を分離開始端１２ｃとして、配達票１２を分離していくことになる。
【００４１】
その後、貼付票１３の配達票１２が伝票片１０から分離したことによって生じた端部を摘み、ジッパー１４ａを破断していくことにより貼付票１３を伝票片１０から分離し、さらに、領収証１１の配達票１２が伝票片１０から分離したことによって生じた端部を摘み、ジッパー１４ａを破断していくことにより、領収証１１を伝票片１０から分離する。
【００４２】
すると、図６（ｂ）に示すように、剥離台紙２０から分離して伝票片１０に貼着されたままとなり、配送物２に関する情報となる納品情報２１ａが表示された納品書２１が視認可能となる。
【００４３】
そして、納品書２１に設けられたミシン目２３，２４を破断することで、納品書２１の伝票片１０に貼着されていない部分を、伝票片１０と配送物２との間から取り出すことができる。
【００４４】
（他の実施の形態）
図７は、本発明の重ね合わせシートの他の実施の形態を示す図であり、（ａ）は伝票片１０の剥離台紙１２０との貼着面の構成を示す図、（ｂ）は剥離台紙１２０の伝票片１０との貼着面の構成を示す図、（ｃ）は伝票片１０に形成されたコーナーカット部１５と剥離台紙１２０に形成されたスリット１２２との関係を示す図である。
【００４５】
本形態における重ね合わせシートは図７に示すように、図１及び図２に示したものに対して、スリット１２２の形状が異なるものである。
【００４６】
本形態におけるスリット１２２は、剥離台紙１２０に伝票片１０が貼着された場合にコーナーカット部１５に対向する第１の領域１２２ａと、それ以外の第２の領域１２２ｂとに分割されている。第１の領域１２２ａは、図７（ｃ）に示すように、コーナーカット部１５に対向する部分を含む長さとなっており、図７（ｂ），（ｃ）中上側の端部に左上に斜めに向かって延びた斜め切り込み１２５ａが設けられている。そのため、図７（ｂ），（ｃ）に示すように、第２の領域１２２ｂが第１の領域１２２ａに対して図中左側にずれた場合でも、斜め切り込み１２５ａは、第２の領域１２２ｂの斜め切り込み１２５ａに対向する端部からの延長線と交差するものとなっている。また、第２の領域１２２ｂは、第１の領域１２２ａの斜め切り込み１２５ａが設けられていない側の端部に対向する端部に、図７（ｂ），（ｃ）中右上に斜めに向かって延びた斜め切り込み１２５ｂが設けられている。そのため、図７（ｂ），（ｃ）に示すように、第２の領域１２２ｂが第１の領域１２２ａに対して図中左側にずれた場合でも、斜め切り込み１２５ｂは、第１の領域１２２ａの斜め切り込み１２５ａが設けられていない側の端部からの延長線と交差するものとなっている。
【００４７】
それにより本形態においては、剥離台紙１２０をスリット１２２を介して分離して納品書２１を除いた部分を伝票片１０から剥離する際、第１の領域１２２ａに対して第２の領域１２２ｂの形成位置が図７（ｂ），（ｃ）中左側にずれていても、第２の領域１２２ｂの端部からの破断部分が第１の領域１２２ａの斜め切り込み１２５ａに繋がり、また、第１の領域１２２ａの斜め切り込み１２５ａが設けられていない側の端部からの破断部分が第２の領域１２２ｂの斜め切り込み１２５ｂに繋がることとなり、剥離台紙１２０の破断部分がスリット１２２から逸れていくことが回避される。よって、本形態は、第１の領域１２２ａに対する第２の領域１２２ｂのずれ方向が、図７（ｂ），（ｃ）中左側に限られる場合に有効なものとなる。なお、第１の領域１２２ａに対する第２の領域１２２ｂのずれ方向が、図７（ｂ），（ｃ）中右側に限られる場合は、第１の領域１２２ａと第２の領域１２２ｂの位置及び形状は、図７（ｂ），（ｃ）に示したものに対して、第１の領域１２２ａが延びる方向を軸とした鏡面対称のものとなる。
【００４８】
図８は、本発明の重ね合わせシートの他の実施の形態を示す図であり、（ａ）は伝票片２１０の剥離台紙２２０との貼着面の構成を示す図、（ｂ）は剥離台紙２２０の伝票片２１０との貼着面の構成を示す図、（ｃ）は伝票片２１０に形成されたコーナーカット部２１５と剥離台紙２２０に形成されたスリット２２２との関係を示す図である。
【００４９】
本形態における重ね合わせシートは図８に示すように、図１及び図２に示したものに対して、伝票片２１０におけるコーナーカット部２１５の形成位置と、剥離台紙２２０におけるスリット２２２及びミシン目２２３の形状が異なるものである。
【００５０】
本形態においては、スリット２２２とミシン目２２３とから第２の切り離し線が構成されており、コーナーカット部２１５が、スリット２２２とミシン目２２３とのコーナー部分に対向している。そのため、スリット２２２及びミシン目２２３からなる第２の切り離し線が、スリット２２２とミシン目２２３とのコーナー部分にてコーナーカット部１５に対向する第１の領域２２２ａと、それ以外の第２の領域とに分割されている。第１の領域２２２ａは、図８（ｃ）に示すように、コーナーカット部２１５に対向する部分を含む長さとなっており、スリット２２２側の端部に、図８（ｂ），（ｃ）中左右斜めに向かって開いた２つの斜め切り込み２２５ａが設けられている。これにより、斜め切り込み２２５ａは、スリット２２２の第２の領域の斜め切り込み２２５ａに対向する端部からの延長線と交差するものとなっている。また、ミシン目２２３の第２の領域は、第１の領域２２２ａの斜め切り込み２２５ａが設けられていない側の端部に対向する端部に、図８（ｂ），（ｃ）中左上に斜めに向かって延びた斜め切り込み２２５ｂが設けられている。これにより、斜め切り込み２２５ａは、第１の領域２２２ａの斜め切り込み２２５ａが設けられていない側の端部からの延長線と交差するものとなっている。
【００５１】
本形態においても、スリット２２２及びミシン目２２３の第２の領域が、第１の領域２２２ａに対してずれて形成された場合でも、剥離台紙２２０をスリット２２２を介して分離して納品書２１を除いた部分を伝票片２１０から剥離する際、スリット２２２の第２の領域の端部からの破断部分が第１の領域２２２ａの斜め切り込み２２５ａに繋がることとなり、剥離台紙２２０の破断部分がスリット２２２から逸れていくことが回避される。
【００５２】
また、納品書２１の伝票片２１０に貼着されていない部分を伝票片２１０と配送物２との間から取り出すために、スリット２２２とミシン目２２３とのコーナー部分からミシン目２２３を破断していく際、第１の領域２２２ａとミシン目２２３の第２の領域との間の破断部分が斜め切り込み２２５に繋がることで、ミシン目２２３から逸れずに破断していくことができる。
【００５３】
図９は、本発明の重ね合わせシートの他の実施の形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。図１０は、図９に示した伝票片３１０及び剥離台紙３２０の構成を示す図であり、（ａ）は伝票片３１０の剥離台紙３２０との貼着面の構成を示す図、（ｂ）は剥離台紙３２０の伝票片３１０との貼着面の構成を示す図、（ｃ）は伝票片３１０に形成されたコーナーカット部３１５と剥離台紙３２０に形成されたスリット３２２との関係を示す図である。
【００５４】
本形態における重ね合わせシートは図９及び図１０に示すように、図１及び図２に示したものに対して、伝票片３１０の剥離台紙３２０との貼着面において、貼付票３１３の配達票３１２とは反対側の辺に沿う領域にも接着剤が塗工されることで接着層３３０が設けられており、それにより、貼付票３１３が、配達票３１２とは反対側の辺に沿う領域にて納品書３２１に接着されている点が異なるものである。なお、納品書３２１のミシン目３２３は、接着層３３０に対向しない領域に形成されている。
【００５５】
上記のように構成された配送伝票３０１においては、配送伝票３０１が配送物に貼付された状態において貼付票３１３が納品書３２１に接着されているため、配送物の配送途中等においてジッパー３１４ａが不用意に破断した場合であっても、少なくとも貼付票３１３が配送物から脱落してしまうことがなくなり、配送物の区別がつかなくなってしまうことを回避できる。
【符号の説明】
【００５６】
１，３０１    配送伝票
２    配送物
１０，２１０，３１０    伝票片
１１，３１１    領収証
１１ａ，１２ａ，１３ａ，３１１ａ，３１２ａ，３１３ａ    配送情報表示領域
１１ｄ，１２ｄ，１３ｄ    配送情報
１２，３１２    配達票
１２ｂ，３１２ｂ    押印領域
１２ｃ    分離開始端
１２ｅ    受領印
１３    貼付票
１３ｃ，１１３ｃ    分離開始端
１４ａ，３１４ａ    ジッパー
１４ｂ，２２，１２２，２２２，３２２    スリット
１５，２１５，３１５    コーナーカット部
２０，１２０，２２０，３２０    剥離台紙
２１，３２１    納品書
２１ａ    納品情報
２２ａ，１２２ａ，２２２ａ，３２２ａ    第１の領域
２２ｂ，１２２ｂ，３２２ｂ    第２の領域
２３，２４，２２３，３２３，３２４    ミシン目
２５ａ，２５ｂ，１２５ａ，１２５ｂ，２２５ａ，２２５ｂ    斜め切り込み
２６ａ，２６ｂ    破断部分
３０，３３０    接着層
４０，３４０    剥離層
【図１】
0006637388.tif 000002
【図２】
0006637388.tif 000003
【図３】
0006637388.tif 000004
【図４】
0006637388.tif 000005
【図５】
0006637388.tif 000006
【図６】
0006637388.tif 000007
【図７】
0006637388.tif 000008
【図８】
0006637388.tif 000009
【図９】
0006637388.tif 000010
【図１０】
0006637388.tif 000011